(57)【特許請求の範囲】
【請求項１】
モニター装置の前面左右の下角に取り付けるキーボードの収納支持具であって、前記収納支持具は、Ｌ字型をした台座部と同じくＬ字型をした保持部により構成され、前記台座部と前記保持部は連結部により連結され、前記連結部を支点として前記保持部が回転動作を行えるようにしてあり、前記台座部は前記連結部をモニター装置の底面に位置する状態でモニター装置前面の下角の底面と側面の両面に接合され、前記保持部は前記台座部に重なり合う状態でモニター装置の底面と側面の両面に沿ってモニター装置の外観を損なわないように収蔵され、キーボードを収納するとき、前記保持部は前記連結部を支点としてモニター装置の前面に向かって、９０度水平に回転することを特徴とするキーボードの収納支持具。
【請求項２】
モニター装置の前面左右の下角に取り付けるキーボードの収納支持具であって、前記収納支持具は、モニター装置の底面だけに配置される台座部とＬ字型をした保持部により構成され、前記台座部と前記保持部は連結部により連結され、前記連結部を支点として前記保持部が回転動作を行えるようにしてあり、前記台座部は前記連結部をモニター装置の底面に位置する状態でモニター装置前面の下角の底面に接合され、前記保持部はモニター装置の底面と側面の両面に沿ってモニター装置の外観を損なわないように収蔵され、キーボードを収納するとき、前記保持部は前記連結部を支点としてモニター装置の前面に向かって、９０度水平に回転することを特徴とするキーボードの収納支持具。
【請求項３】
モニター装置の前面左右の下角に取り付けるキーボードの収納支持具であって、前記収納支持具は、Ｌ字型をした保持体であり、前記保持体は連結部によりモニター装置の底面でモニター装置の躯体に組み付けられるなどして連結し、前記連結部を支点として前記保持体が回転動作を行えるようにしてあり、モニター装置の底面と側面の両面に沿ってモニター装置の外観を損なわないように収蔵され、キーボードを収納するとき、前記保持体は前記連結部を支点としてモニター装置の前面に向かって、９０度水平に回転することを特徴とするキーボードの収納支持具。
【発明の詳細な説明】
【技術分野】
【０００１】
デスクトップ型パソコンのキーボードの収納具に関する。
【背景技術】
【０００２】
従来、デスクトップ型パソコンを使用するとき、キーボードが机のスペースを狭めていることを解消する手段に関する技術が開示されている（例えば、特許文献１を参照）。この特許文献１に記載の技術によれば、デスクトップ型パソコンのモニター装置の下に、キーボードを収納できるスペースを確保する。
【先行技術文献】
【特許文献】
【０００３】
【特許文献１】特開２００７−１８８２９2号公報（第２頁）
【発明の概要】
【発明が解決しようとする課題】
【０００４】
近年デスクトップ型パソコンは、本体が技術開発により小型化が進んでいるが、入力装置であるキーボードは、マンーマシンインターフェースであるために、操作能率の観点から、大きさはほぼ一定であり、また必ずしも、小型化が望まれているわけではない。そのため、キーボードは時代の変化にかかわらず、一定不変に、机上スペースを占有している。
【０００５】
デスクトップ型パソコンを使用していないときは、デスクワークの妨げとなるために、キーボードが占める机上スペースを縮小し、出来れば、キーボードの占有スペースをゼロ化できるキーボードの収納手段を実現することが望まれている。
【課題を解決するための手段】
【０００６】
上記問題を解決するために、請求項１の発明は、モニター装置の前面左右の下角に取り付けるキーボードの収納支持具であって、前記収納支持具は、Ｌ字型をした台座部と同じくＬ字型をした保持部により構成され、前記台座部と前記保持部は連結部により連結され、前記連結部を支点として前記保持部が回転動作を行えるようにしてあり、前記台座部は前記連結部をモニター装置の底面に位置する状態でモニター装置前面の下角の底面と側面の両面に接合され、前記保持部は前記台座部に重なり合う状態でモニター装置の底面と側面の両面に沿ってモニター装置の外観を損なわないように収蔵され、キーボードを収納するとき、前記保持部は前記連結部を支点としてモニター装置の前面に向かって、９０度水平に回転すること要旨とする。
【０００７】
上記問題を解決するために、請求項２の発明は、モニター装置の前面左右の下角に取り付けるキーボードの収納支持具であって、前記収納支持具は、モニター装置の底面だけに配置される台座部とＬ字型をした保持部により構成され、前記台座部と前記保持部は連結部により連結され、前記連結部を支点として前記保持部が回転動作を行えるようにしてあり、前記台座部は前記連結部をモニター装置の底面に位置する状態でモニター装置前面の下角の底面に接合され、前記保持部はモニター装置の底面と側面の両面に沿ってモニター装置の外観を損なわないように収蔵され、キーボードを収納するとき、前記保持部は前記連結部を支点としてモニター装置の前面に向かって、９０度水平に回転することを趣旨とする。
【０００８】
上記問題を解決するために、請求項３の発明は、モニター装置の前面左右の下角に取り付けるキーボードの収納支持具であって、前記収納支持具は、Ｌ字型をした保持体であり、前記保持体は連結部によりモニター装置の底面でモニター装置の躯体に組み付けられるなどして連結し、前記連結部を支点として前記保持体が回転動作を行えるようにしてあり、モニター装置の底面と側面の両面に沿ってモニター装置の外観を損なわないように収蔵され、キーボードを収納するとき、前記保持体は前記連結部を支点としてモニター装置の前面に向かって、９０度水平に回転することを趣旨とする。
【発明の効果】
【０００９】
本発明によれば、キーボードは空中で保持される状態で収納されるために、キーボードが机の上を占有する平面スペースを完全にゼロ化できる。
【図面の簡単な説明】
【００１０】
【図１】収納支持具の外観図その１（底面と側面に接合した例）
【図２】収納支持具の外観図その３（底面と側面に接合した例で保持体を引き出した状態）
【図３】収納支持具を設置したモニター装置の前面図（底面と側面に接合した例）
【図４】保持体を回転動作により、収納可能な状態にしたモニター装置の前面図
【図５】収納支持具によりキーボードを収納した外観図
【実施例】
【００１１】
図１に示されるように、本発明の実施に係るキーボードの収納支持具１０は台座２０と保持体３０で構成される。
【００１２】
図２に示されるように、保持体３０は、連結部４０を支点として水平に９０度回転する。
【００１３】
図３に示されるように、収納支持具１０は台座２０によりモニター装置５０の前面左右の下角位置のモニター装置の底面と側面の２面の外枠に固定される。
【００１４】
台座２０は、保持体３０が保持するキーボードの重量負荷に耐えるためにモニター装置５０の底面と側面の外枠に固定されるものであるが、保持体３０がモニター装置５０にキーボードの重量負荷に耐えるほど充分強固にモニター装置に連結できるならば、その場合、台座２０はモニター装置５０の底面にのみ固定してもよい。また、保持体３０をモニター装置５０の躯体に直接単独で組み付けしてもよい。
【００１５】
図４に示されるようにキーボードを収納するとき、保持体３０は９０度回転してモニター装置の前面に配置される。
【００１６】
図５に示されるように、キーボードは収納支持具１０の保持体３０の内側で、裏向きの直立状態で保持され、モニター装置５０の前面で収納される。
【産業上の利用可能性】
【００１７】
企業や家庭において使用中の多くのデスクトップ型パソコンのモニター装置に、後付け機構品として、本発明を適応することができるとともに、モニター装置製造会社において新規に製造するモニター装置に本発明を適応できる。
【符号の説明】
【００１８】
１０  収納支持具 ２０  台座 ３０  保持体 ４０  連結部 ５０  モニター装置 ６０  キーボード（裏面） ６１  キーボード信号ケーブル
【要約】      （修正有）【課題】デスクトップ型パソコンを使用していないときのキーボードの机上占有スペースを縮小するためのキーボードの収納支持具を提供する。【解決手段】キーボードの収納支持具１０は台座２０と保持体３０で構成される。保持体３０は、連結部を支点として水平に９０度回転する。収納支持具１０は台座２０によりモニター装置５０の前面左右の下角位置のモニター装置の底面と側面の２面の外枠に固定される。キーボードを収納するとき、保持体３０は９０度回転してモニター装置の前面に配置され、キーボードは保持体３０の内側で裏向きの直立状態で保持され、モニター装置５０の前面で収納される。【選択図】図５【図１】
0004856278.tif 000002
【図２】
0004856278.tif 000003
【図３】
0004856278.tif 000004
【図４】
0004856278.tif 000005
【図５】
0004856278.tif 000006